(57)【要約】【課題】  冷蔵庫等の重量物を安定よくかつ安全に移動できる重量物持ち上げ移動装置を提供する。【解決手段】  本体１１の下部にローラ軸１６でローラ１７を軸支しすると共に、本体１１の上部にフォーク軸９で前方に延出するフォーク１を回動可能に軸支し、かつ、本体１１の後方に前低後高状に後方に延出するハンドル部材１９を設け、重量物持ち上げ移動装置２０を２つ用意して同時に使用し、冷蔵庫等の重量物の手前側の両脚部を持ち上げ、引き擦り移動できるようにした。【選択図】  図１
2010037062.tif 000002
【特許請求の範囲】
【請求項１】
本体の下部にローラ軸でローラを軸支しすると共に、本体の上部にフォーク軸で前方に延出するフォークを回動可能に軸支し、かつ、本体の後方に前低後高状に後方に延出するハンドル部材を設けていることを特徴とする重量物持ち上げ移動装置。
【請求項２】
フォークの前縁は、その中間部が両端部よりも上方に突出している凸部が設けられていることを特徴とする請求項１に記載の重量物持ち上げ移動装置。
【請求項３】
ハンドル部材の握る部分に障壁を設けたカバーが装着固定されていることを特徴とする請求項１に記載の重量物持ち上げ移動装置。
【発明の詳細な説明】
【技術分野】
【０００１】
本発明は、一般家庭等で使用する冷蔵庫等の重量物を安全に持ち上げ移動させるために使用する重量物持ち上げ移動装置に関するものである。
【背景技術】
【０００２】
図１１は従来の重量物持ち上げ装置を示す側面図である。この従来例は、例えば、特開２００５−１４５７１２号公報に記載されているものと同種のものである。車輪９２を有するフレーム９４の前端に荷受け部材９６を設けると共に、フレーム９４側の後方に延出するハンドル部材９５を装着して重量物Ｗを車輪９２を支点にして持ち上げて引き擦り移動できるものであった。
【特許文献１】特開２００５−１４５７１２号公報
【発明の開示】
【発明が解決しようとする課題】
【０００３】
上記の重量物持ち上げ装置９１は、図１２に示すように１つの重量物持ち上げ装置９１を用いて冷蔵庫等の重量物Ｗの下面中央に挿入し使用するものであるため、重量物持ち上げ装置９１は冷蔵庫等の重量物Ｗを支持できる大きさが必要となり比較的大型なものとなっていた。そのため、作業に広いスペースを要し、一般家庭内での冷蔵庫等の重量物Ｗの移動は困難であった。
【０００４】
また、冷蔵庫等の重量物Ｗの下面中央の１点で支持するため、載置した冷蔵庫等の重量物Ｗを安定良く移動できない恐れがあり。また、荷受け部材９６が平面となっていたため、無理に移動をすると載置した冷蔵庫等の重量物Ｗが荷受け部材９６から脱落してしまい、とても危険であった。
【０００５】
そこで、本発明は安定よくかつ安全に移動できる重量物持ち上げ移動装置を提供することを目的とするものである。
【課題を解決するための手段】
【０００６】
上記の課題を解決するためになされた本発明の重量物持ち上げ移動装置は、本体の下部にローラ軸でローラを軸支しすると共に、本体の上部にフォーク軸で前方に延出するフォークを回動可能に軸支し、かつ、本体の後方に前低後高状に後方に延出するハンドル部材を設けている重量物持ち上げ移動装置であり。
【０００７】
第1に、この重量物持ち上げ移動装置を２つ用意して同時に使用し、冷蔵庫等の重量物の手前側の両脚部を持ち上げることを特徴としている。
【０００８】
第２に、前記フォークの前縁は、その中間部が両端部よりも上方に突出している凸部が設けられていることを特徴としている。
【０００９】
第３に、前記ハンドル部材の握る部分に障壁を設けたカバーが装着固定されていることを特徴としているものである。
【発明の効果】
【００１０】
上記第１の手段では、冷蔵庫等の重量物の下面両側にある脚部に挿入して該重量物を支持するとき、フォークが低い位置で床とほぼ平行に挿入することができるので確実に脚部に挿入ができ、持ち上げる時はフォークが回動し支点と作用点の距離か短くなるので軽い力で持ち上げ手前側に引き擦り移動が可能となり、同時に２つを使用するため１つにかかる重量は半分になる。これにより重量物持ち上げ移動装置の大きさを小さく形成することが可能となって小さいスペースで移動できる。
【００１１】
上記第２の手段では、フォークの前縁は、その中間部が両端部よりも上方に突出している凸部が設けられている。これによって、冷蔵庫等の重量物の脚部を持ち上げ手前側に引き擦り移動中に、フォーク上に載置した冷蔵庫等の重量物の脚部が、フォークに対して滑らないので、安定良くかつ確実に支持され、安全である。
【００１２】
上記第３の手段では、ハンドル部材の握る部分に障壁を設けたカバーが装着固定されている。これによって、冷蔵庫等の重量物の脚部を持ち上げたとき床とハンドル部材で指を挟むことはなく、手前に引き擦り移動中に手がカバーから滑り抜けることもないために安全である。
【発明を実施するための最良の形態】
【００１３】
以下、本発明の実施例を図面によって説明する。
【実施例】
【００１４】
図１は本発明の実施例による重量物持ち上げ移動装置の斜視図であり、図２は本発明の実施例による重量物持ち上げ移動装置の一部分解斜視図である。フォーク１は金属製の板を側面視Ｌ字状に平面板２と正面板３を接合し、正面板３の上部に平面視でコ字状に側板４を接合し、側板４の上部に孔５を有しており、正面板３には凸部６を本体１１側に凸設させて、バネ１０を係止している。平面板２の前縁はその中間部が両端部よりも上方に突出している凸部７を接合している。
【００１５】
前記フォーク１は、無負荷のときにはバネ１０により金属製のフォーク軸９を中心に時計周りに付勢されているが、側板４の凸部８が障壁になり、本体１１の凹部１２と当たる位置で止っている
【００１６】
前記本体１１は、合成樹脂で形成し、上部に孔１３を有しフォーク軸９でフォーク１を軸支し、本体１１の正面側に円形凹窩１４を設けて、バネ１０を係止している。本体１１の正面側の下部に凸部１５を凸設させ、フォーク１がバネ１０の力を超えて負荷を受け、正面板３が反時計回り回転を始め、本体１１にもっとも近ずくとき、フォーク１は本体１１の凸部１５と当たる位置で止る。
【００１７】
前記本体１１の下部には、金属製のローラ軸１６で合成樹脂製のローラ１７が軸支されているので、重量物持ち上げ移動装置２０が前後自在に移動できる。また、本体１１の後部に円形凹窩１８を設けて、金属製パイプのハンドル部材１９を挿入し固定しており、ハンドル部材１９の後方に合成樹脂製のカバー２１を装着し、カバー２１のＵ字状の障壁２２が床Ｆ側になるように固定している。
【００１８】
以上のように構成された重量物持ち上げ移動装置２０によって冷蔵庫等の重量物Ｗを持ち上げて移動させるには、図３に示すように、冷蔵庫等の重量物Ｗの下面両側にある脚部２３に、フォーク１の平面板２と床Ｆがほぼ平行になるように平面板２の前縁凸部７を挿入させる。ハンドル部材１９の後方に装着されたカバー２１を押し下げ始めると、図４に示すように、冷蔵庫等の重量物Ｗの重さに負け、フォーク１の正面板３と本体１１の間にあるバネ１０が圧縮されて、フォーク１は本体１１の凸部１５と当たる位置で止る。これにより、重量物持ち上げ移動装置２０の支点と作用点の距離ｃが、図３に示す、持ち上げる前の支点と作用点の距離ｂより短くなり、少ない力で持ち上げることができる。
【００１９】
さらに、この状態からハンドル部材１９のカバー２１を押し下げると、冷蔵庫等の重量物Ｗの下面両側にある脚部２３が十分に持ち上がり、図５に示すようにハンドル部材１９と床Ｆがほぼ平行になる。この状態のままハンドル部材１９の後方に装着されたカバー２１を手前引くと重量物持ち上げ移動装置２０のローラ１７が回転をして冷蔵庫等の重量物Ｗが引き擦り移動をする。
【００２０】
そして、このときフォーク１の前縁凸部７が、フォーク１上に載置した冷蔵庫等の重量物Ｗの脚部２３に嵌合し、フォーク１に対して滑らないので、安定良くかつ確実に支持される。
【００２１】
また、このときカバー２１のＵ字状の障壁２２が床Ｆ側になるように固定されているのでカバー２１と床Ｆで指を挟み、けがをする恐れがないので安全である。
【００２２】
そして、図６に示すように、重量物持ち上げ移動装置２０を２つ同時に使用してこの操作をすることで１つにかかる重量は半分になる。これにより重量物持ち上げ移動装置２０の大きさを小さく形成することが可能となって小さいスペースで一人で移動できるので、一般家庭内での冷蔵庫等の重量物Ｗの持ち上げと、該重量物Ｗの持ち上げながらの引き擦り移動に利用できるものである。
【図面の簡単な説明】
【００２３】
【図１】本発明の実施形態を示す斜視図
【図２】本発明の実施形態を示す一部分解斜視図
【図３】作用開始前の状態を示す側面図
【図４】作用開始中の状態を示す側面図
【図５】作用終了前の状態を示す側面図
【図６】本発明の実施形態の使用例説明用斜視図
【図１１】従来の重量物持ち上げ装置の側面図
【図１２】従来の重量物持ち上げ装置の使用例説明用斜視図
【符号の説明】
【００２４】
１    フォーク
２    平面板
３    正面板
４    側板
１０  バネ
１１  本体
１７  ローラ
１９  ハンドル部材
２０  重量物持ち上げ移動装置
２１  カバー
２２  障壁
【図１】
2010037062.tif 000003
【図２】
2010037062.tif 000004
【図３】
2010037062.tif 000005
【図４】
2010037062.tif 000006
【図５】
2010037062.tif 000007
【図６】
2010037062.tif 000008
【図１１】
2010037062.tif 000009
【図１２】
2010037062.tif 000010
【手続補正書】
【提出日】平成20年9月10日(2008.9.10)
【手続補正１】
【補正対象書類名】明細書
【補正対象項目名】００２３
【補正方法】変更
【補正の内容】
【００２３】
【図１】本発明の実施形態を示す斜視図
【図２】本発明の実施形態を示す一部分解斜視図
【図３】作用開始前の状態を示す側面図
【図４】作用開始中の状態を示す側面図
【図５】作用終了前の状態を示す側面図
【図６】本発明の実施形態の使用例説明用斜視図
【図７】従来の重量物持ち上げ装置の側面図
【図８】従来の重量物持ち上げ装置の使用例説明用斜視図
【手続補正２】
【補正対象書類名】図面
【補正対象項目名】全図
【補正方法】変更
【補正の内容】
【図１】
2010037062.tif 000011
【図２】
2010037062.tif 000012
【図３】
2010037062.tif 000013
【図４】
2010037062.tif 000014
【図５】
2010037062.tif 000015
【図６】
2010037062.tif 000016
【図７】
2010037062.tif 000017
【図８】
2010037062.tif 000018
【手続補正書】
【提出日】平成20年9月10日(2008.9.10)
【手続補正１】
【補正対象書類名】明細書
【補正対象項目名】０００２
【補正方法】変更
【補正の内容】
【０００２】
図７は従来の重量物持ち上げ装置を示す側面図である。この従来例は、例えば、特開２００５−１４５７１２号公報に記載されているものと同種のものである。車輪９２を有するフレーム９４の前端に荷受け部材９６を設けると共に、フレーム９４側の後方に延出するハンドル部材９５を装着して重量物Ｗを車輪９２を支点にして持ち上げて引き擦り移動できるものであった。
【手続補正２】
【補正対象書類名】明細書
【補正対象項目名】０００３
【補正方法】変更
【補正の内容】
【０００３】
上記の重量物持ち上げ装置９１は、図８に示すように１つの重量物持ち上げ装置９１を用いて冷蔵庫等の重量物Ｗの下面中央に挿入し使用するものであるため、重量物持ち上げ装置９１は冷蔵庫等の重量物Ｗを支持できる大きさが必要となり比較的大型なものとなっていた。そのため、作業に広いスペースを要し、一般家庭内での冷蔵庫等の重量物Ｗの移動は困難であった。